(57)【要約】【課題】交流サイトの会員情報の提供時又は個人情報の調査時等に、比較的複雑な個人情報を簡単に分かり易く表す。【解決手段】通信端末と、前記通信端末に通信回線を介して情報を提供する通信用サーバと、を備える通信システムであって、前記通信用サーバは、前記通信端末の表示部１７Ａの第１領域４３に個人の身体的な第１特性を表す第１記号を表示させ、表示部１７Ａの第１領域４３に隣接する第２領域４６に前記個人の前記第１特性に関連する心理的な第２特性を表す第２記号を表示させ、表示部１７Ａの第２領域４６に隣接する第３領域４９に前記個人の前記第２特性に関連する嗜好に関する第３特性を表す第３記号を表示させるものである。【選択図】図３
2020080031.tif 000002
【特許請求の範囲】
【請求項１】
通信端末と、
前記通信端末に通信回線を介して情報を提供する通信用サーバと、を備える通信システムであって、
前記通信用サーバは、
前記通信端末の表示部の第１領域に個人の身体的な第１特性を表す第１記号を表示させ、
前記表示部の前記第１領域に隣接する第２領域に前記個人の前記第１特性に関連する心理的な第２特性を表す第２記号を表示させ、
前記表示部の前記第２領域に隣接する第３領域に前記個人の前記第２特性に関連する嗜好に関する第３特性を表す第３記号を表示させることを特徴とする通信システム。
【請求項２】
前記第１特性は身体上の性、前記第２特性は心理上の性、前記第３特性は嗜好上の性であることを特徴とする請求項１に記載の通信システム。
【請求項３】
前記第１特性は身体上の性、前記第２特性は心理上の性、前記第３特性は嗜好上の服装であることを特徴とする請求項１に記載の通信システム。
【請求項４】
前記第１特性、第２特性、及び第３特性は、それぞれ予め定められた第１群、第２群、及び第３群の複数の特性から選択された一つの特性であることを特徴とする請求項１から３のいずれか一項に記載の通信システム。
【請求項５】
前記第１記号、第２記号、及び第３記号は、それぞれ複数のアルファベット、複数の漢字、複数のギリシャ文字、複数のアラビア数字、又は複数のローマ数字の中から選択された一つの文字であることを特徴とする請求項１から４のいずれか一項に記載の通信システム。
【請求項６】
コンピュータを、
表示部の第１領域に個人の身体的な第１特性を表す第１記号を表示させる第１手段、
前記表示部の前記第１領域に隣接する第２領域に前記個人の前記第１特性に関連する心理的な第２特性を表す第２記号を表示させる第２手段、及び
前記表示部の前記第２領域に隣接する第３領域に前記個人の前記第２特性に関連する嗜好に関する第３特性を表す第３記号を表示させる第３手段として機能させることを特徴とするプログラム。
【請求項７】
前記第１特性は身体上の性、前記第２特性は心理上の性、前記第３特性は嗜好上の性であることを特徴とする請求項６に記載のプログラム。
【請求項８】
前記第１特性は身体上の性、前記第２特性は心理上の性、前記第３特性は嗜好上の服装であることを特徴とする請求項６に記載のプログラム。
【請求項９】
個人情報が記載可能な印刷物であって、
個人の身体的な第１特性を表す第１記号を記載可能な第１領域と、
前記個人の前記第１特性に関連する心理的な第２特性を表す第２記号を記載可能であり、前記第１領域に隣接して配置された第２領域と、
前記個人の前記第２特性に関連する嗜好に関する第３特性を表す第３記号を記載可能であり、前記第２領域に隣接して配置された第３領域と、を備えることを特徴とする印刷物。
【請求項１０】
前記第１特性は身体上の性、前記第２特性は心理上の性、前記第３特性は嗜好上の性であることを特徴とする請求項９に記載の印刷物。
【請求項１１】
前記第１特性は身体上の性、前記第２特性は心理上の性、前記第３特性は嗜好上の服装であることを特徴とする請求項９に記載の印刷物。
【請求項１２】
前記第１領域に近接して、前記第１特性を選択するための第１群の複数の特性が記載された第４領域が設けられ、
前記第２領域に近接して、前記第２特性を選択するための第２群の複数の特性が記載された第５領域が設けられ、
前記第４領域に近接して、前記第３特性を選択するための第３群の複数の特性が記載された第６領域が設けられたことを特徴とする請求項９〜１１のいずれか一項に記載の印刷物。
【発明の詳細な説明】
【技術分野】
【０００１】
本発明は、通信システム、通信システムに使用される通信端末、通信システム又は通信端末用のプログラム、及び印刷物に関する。
【背景技術】
【０００２】
ＳＮＳ（Social Network Service）のようにインターネットを介した多くの会員組織（以下、交流サイトという。）が運営されている。このような交流サイトでは、入会時等に会員が希望する場合には、会員の個人的な情報をその会員組織のサーバに登録することができる。その個人的な情報の中には性格や好み等（以下、まとめて「性格等」ともいう。）のように、年齢や国籍等の情報に比べて複雑で説明が難しい情報もある。性格等の例としてはいわゆるＬＧＢＴ（性的少数者）のなかでどのタイプに属するのかといったものもある。なお、単に性別が男性、女性、又はＬＧＢＴであるかを一つの情報として表すことは特許文献１に開示されているが、その方法ではより複雑な性格等を表すことは困難である。
【先行技術文献】
【特許文献】
【０００３】
【特許文献１】特開２０１８−０８４８６８号公報
【発明の概要】
【発明が解決しようとする課題】
【０００４】
例えば交流サイトの会員情報の提供時、若しくはその会員情報の閲覧時、又は他の種々の個人情報の調査時等に、比較的複雑な個人情報を簡単に分かり易く表すことが求められている。
【課題を解決するための手段】
【０００５】
本発明の第１の態様によれば、通信端末と、その通信端末に通信回線を介して情報を提供する通信用サーバと、を備える通信システムであって、その通信用サーバは、その通信端末の表示部の第１領域に個人の身体的な第１特性を表す第１記号を表示させ、その表示部のその第１領域に隣接する第２領域にその個人のその第１特性に関連する心理的な第２特性を表す第２記号を表示させ、その表示部のその第２領域に隣接する第３領域にその個人のその第２特性に関連する嗜好に関する第３特性を表す第３記号を表示させる通信システムが提供される。
【０００６】
第２の態様によれば、コンピュータを、表示部の第１領域に個人の身体的な第１特性を表す第１記号を表示させる第１手段、その表示部のその第１領域に隣接する第２領域にその個人のその第１特性に関連する心理的な第２特性を表す第２記号を表示させる第２手段、及びその表示部のその第２領域に隣接する第３領域にその個人のその第２特性に関連する嗜好に関する第３特性を表す第３記号を表示させる第３手段として機能させるプログラムが提供される。
【０００７】
第３の態様によれば、個人情報が記載可能な印刷物であって、個人の身体的な第１特性を表す第１記号を記載可能な第１領域と、その個人のその第１特性に関連する心理的な第２特性を表す第２記号を記載可能であり、その第１領域に隣接して配置された第２領域と、その個人のその第２特性に関連する嗜好に関する第３特性を表す第３記号を記載可能であり、その第２領域に隣接して配置された第３領域と、を備える印刷物が提供される。
【発明の効果】
【０００８】
本発明の態様によれば、表示部又は印刷物の第１領域〜第３領域に３つの記号を記載することで、比較的複雑な個人情報を簡単に分かり易く表すことができる。
【図面の簡単な説明】
【０００９】
【図１】（Ａ）は第１の実施形態に係る通信システム１０を示す図、（Ｂ）は図１（Ａ）中の通信端末１６Ａを示す図である。
【図２】図１（Ａ）中の通信端末１６Ａの表示部３４の表示画面１７Ａに表示される入会申し込みシートを示す図である。
【図３】表示画面１７Ａに表示される会員リストを示す図である。
【図４】通信端末１６Ａで実行される表示方法の一例を示すフローチャートである。
【図５】第２の実施形態に係る印刷物を示す図である。
【発明を実施するための形態】
【００１０】
［第１の実施形態］
第１の実施形態につき図１から図４を参照して説明する。図１（Ａ）は、本実施形態に係る通信システム１０を示す。図１（Ａ）において、通信システム１０はインターネット等の通信回線１２に接続されている。通信システム１０は、通信回線１２に接続されたある交流サイト用の通信用サーバ１４と、通信回線１２に接続されたパーソナルコンピュータよりなる通信端末１６Ａと、通信回線１２に接続されたＷｉ-Ｆｉ（登録商標）等の無線ＬＡＮ（Local Area Network）の基地局１８と、基地局１８を介して無線で通信回線１２に接続されるスマートフォン等の携帯電話よりなる複数の通信端末１６Ｂ，１６Ｃとを備えている。通信端末１６Ｂ，１６Ｃもコンピュータとみなすことができる。通信端末１６Ａ，１６Ｂ，１６Ｃはそれぞれその交流サイトの会員Ｍ１，Ｍ２，Ｍ３によって操作される。実際には、通信回線１２には複数の通信端末１６Ａ及び複数の基地局１８が接続されているが、図１（Ａ）には代表的に一つの通信端末１６Ａ及び一つの基地局１８のみが図示されている。また、基地局１８には、携帯電話等の基地局も含まれる。また、実際には、その交流サイトには多くの会員が属しているが、図１（Ａ）では代表的に３人の会員のみが図示されている。
【００１１】
図１（Ｂ）は図１（Ａ）中の通信端末１６Ａを示す。図１（Ｂ）において、通信端末１６Ａは、制御部２２と、制御部２２に接続されたバス部２４と、バス部２４に接続された操作部２８（キーボード、マウス等）及び電源部２６と、バス部２４に接続された通信部３０及び表示制御部３２と、表示制御部３２に制御される表示部３４とを有する。表示部３４の表示画面１７Ａが図１（Ａ）に示されている。さらに、通信端末１６Ａは、バス部２４に接続されたプログラム実行部３８及び記憶部を有する。その記憶部は、磁気記憶装置等のプログラム記憶部３６Ａ及びデータ記憶部３６Ｂと、ＤＲＡＭ及びフラッシュメモリ等の半導体素子のデータ記憶部３６Ｃとを含む。プログラムには通信回線１２を介して閲覧可能なホームページ等も含まれる。プログラム実行部３８は、通信端末１６Ａを構成するコンピュータの不図示のＣＰＵ（中央演算装置）によって実行されるソフトウェア上の機能である。
【００１２】
他の通信端末１６Ｂ及び１６Ｃの構成も通信端末１６Ａと同様であるが、通信端末１６Ｂ，１６Ｃはさらにマイク部、スピーカ部、及び無線通信部（いずれも不図示）を有する。通信端末１６Ｂ及び１６Ｃも携帯電話を構成するコンピュータのソフトウェア上の機能であるプログラム実行部（不図示）を有する。通信端末１６Ｂの表示部の表示画面１７Ｂが図１（Ａ）に示されている。
【００１３】
次に、本実施形態の交流サイトの通信方法の一例につき説明する。まず、会員Ｍ１がその交流サイトに入会したときの動作の一例につき説明する。この際に、会員Ｍ１は、通信
端末１６Ａを通信回線１２を介して通信用サーバ１４に接続し、通信用サーバ１４から図２に示すような入会申し込みシート５２のホームページを取得する。入会申し込みシート５２の情報は、通信端末１６Ａの記憶部３６Ａに記憶され、その情報を用いて通信端末１６Ａのプログラム実行部３８のデータ表示手段４０Ａが表示用データを作成し、その表示用データに対応する画像（入会申し込みシート５２の画像）が表示部３４の表示画面１７Ａに表示される。
【００１４】
図２の入会申し込みシート５２には、一例として会員番号、氏名、住所、メールアドレス、及び性格等の欄が設けられ、会員番号の欄には予め設定された番号Ａｉが記載されている。会員Ｍ１は、通信端末１６Ａの操作部２８を操作して、入会申し込みシート５２中の氏名、住所、メールアドレスの欄にそれぞれ氏名Ｂｉ、住所Ｃｉ、メールアドレスＤｉを入力し、住所及びメールアドレスの欄ではさらに「公開」又は「非公開」をチェックする。さらに、入会申し込みシート５２には、会員の年齢や国籍等を記入する欄（不図示）も設けられている。
【００１５】
本実施形態において、入会申し込みシート５２の性格等の欄は、身体の性（通常は、戸籍上の性又は生物学的な性と実質的に同じ性）を記載する領域４２を有するＦ欄、心理上の性（自己意識上の性又は性自認）（以下、「心の性」という。）を記載する領域４５を有するＧ欄、及び好みの性（嗜好する性）を記載する領域４８を有するＨ欄に分かれている。一例として、Ｆ欄の領域４２には、男を示す数字「１」及び女を示す数字「２」から選択された一つの記号ｆ（ここではアラビア数字）が入力され、Ｇ欄の領域４５には、男を示す数字「１」、女を示す数字「２」、両方の性を意味する数字「３」、無しを意味する数字「４」、及び不明を意味する数字「５」から選択された一つの記号ｇが入力され、Ｈ欄の領域４８にも、男を示す数字「１」、女を示す数字「２」、両方の性を意味する数字「３」、無しを意味する数字「４」、及び不明を意味する数字「５」から選択された一つの記号ｈが入力される。領域４２，４５，４８の上部には、それぞれ「公開」又は「非公開」を選択する領域が設けられ、領域４２，４５，４８の下部には、それぞれＦ欄の２つの選択肢（１，２）、Ｇ欄の５つの選択肢（１〜５）、及びＨ欄の５つの選択肢（１〜５）が表示されている。
【００１６】
会員Ｍ１は、通信端末１６Ａの操作部２８を操作して、入会申し込みシート５２中の領域４２，４５，４８にそれぞれ会員Ｍ１の個人情報である記号ｆ、記号ｇ、及び記号ｈを入力し、さらに領域４２，４５，４８の上部で、記号ｆ，ｇ，ｈを公開するかどうかに応じて「公開」又は「非公開」をチェックする。その後、会員Ｍ１はさらにその交流サイトで定められている他の情報（不図示）を入力した後、「送信」をクリックすることで、入会申し込みシート５２に入力した会員Ｍ１の個人情報が通信回線１２を介して通信用サーバ１４の記憶部に記憶される。同様に、他の会員Ｍ２，Ｍ３等が通信端末１６Ｂ，１６Ｃに入力した個人情報も、通信回線１２を介して通信用サーバ１４の記憶部に記憶される。
【００１７】
通信用サーバ１４では、通信回線１２を介して送信される会員の情報を用いて、通信用サーバ１４内の記憶部に記憶されている会員リストに、新規会員の個人情報を追加する。
その後、例えば会員Ｍ１が通信用サーバ１４にその交流サイトの会員リストを要求すると、会員Ｍ１の通信端末１６Ａの記憶部３６Ａに、通信用サーバ１４から通信回線１２を介して取得された会員リストの情報が記憶される。その情報を用いて通信端末１６Ａのプログラム実行部３８のデータ表示手段４０Ｂ及び第１手段４０Ｃから第３手段４０Ｅが表示用データを作成し、その表示用データに対応する画像（会員リスト５４の画像）が、図３に示すように表示部３４の表示画面１７Ａに表示される。
【００１８】
図３の会員リスト５４には、一例として会員番号Ａ１〜Ａ４の会員の会員情報が表示され、各会員情報は、氏名Ｂ１〜Ｂ４、住所Ｃ１〜Ｃ４、メールアドレスＤ１〜Ｄ４、及び
性格等の情報を含んでいる。その性格等の情報は、それぞれ各会員情報が記載される領域中の順次隣接する第１領域４３、第２領域４６、及び第３領域４９に表示される。本実施形態では、第１領域４３、第２領域４６、及び第３領域４９には、それぞれ図２の入会申し込みシート５２において、会員がＦ欄の領域４２に記入した身体の性を表す記号ｆ、Ｇ欄の領域４５に記入した心の性を表す記号ｇ、及びＨ欄の領域４８に記入した好みの性を表す記号ｈが表示される。一例として、第１領域４３、第２領域４６、及び第３領域４９は、それぞれ矩形の線状の枠で囲まれた領域であり、順次互いに接している。
【００１９】
この場合、会員リスト５４に対応するホームページ（プログラム）は、図１のプログラム実行部３８（コンピュータ）を、表示部３４の表示画面１７Ａの第１領域４３に個人の身体的な第１特性としての身体の性を表す記号ｆ（第１記号）を表示させる第１手段４０Ｃ、表示画面１７Ａの第１領域４３に隣接する第２領域４６にその個人のその第１特性に関連する心理的な第２特性としての心の性を表す記号ｇ（第２記号）を表示させる第２手段４０Ｄ、及び表示画面１７Ａの第２領域４６に隣接する第３領域４９にその個人の第２特性に関連する嗜好に関する第３特性としての好みの性を表す記号ｈ（第３記号）を表示させる第３手段４０Ｅとして機能させる。
【００２０】
また、通信端末１６Ａにおける通信方法（又は表示方法）は、図４のフローチャートで示すように、データ表示手段４０Ｂが例えば会員番号Ａ１の基本的な会員情報（氏名からメールアドレス等）を会員リスト５４中の所定の領域に表示させるステップ１０２と、第１手段４０Ｃが身体の性を表す情報（記号ｆ）を第１領域４３に表示させるステップ１０４と、第２手段４０Ｄが心の性を表す情報（記号ｇ）を第２領域４６に表示させるステップ１０６と、第３手段４０Ｅが好みの性を表す情報（記号ｈ）を第３領域４９に表示させるステップ１０８と、その他の会員番号Ａ２〜Ａ４の会員情報を表示させるステップ１１０とを有する。
【００２１】
図３において、会員番号Ａ２の会員情報の住所及びメールアドレスは「非公開」とされ、会員番号Ａ４の会員情報の性格等は「非公開」とされている。また、会員番号Ａ１の性格等を表す記号「ｆｇｈ」は「１１２」（通常の男）であり、会員番号Ａ２の性格等は「２２１」（通常の女）であり、会員番号Ａ３の性格等は「１２１」（身体の性と心の性とが異なるタイプのトランスジェンダ（Ｔ））であることが分かる。
【００２２】
本実施形態によれば、会員の性格等が３つの領域４３，４６，４９に表示された３つの記号「ｆｇｈ」によって表されるため、年齢や国籍等に比べて複雑な、例えばどのようなＬＧＢＴ（性的少数者）であるかを含む個人の性格等の個人情報を簡単に分かり易く表すことができる。
その３つの記号を用いた場合、例えばＬＧＢＴのうちのＬは「２２２」で、Ｇは「１１１」で、Ｂ（バイセクシャル）は「１１３」又は「２２３」で簡単に表すことができる。また、例えば身体の性と心の性とが異なるタイプのトランスジェンダ（Ｔ若しくはＴＧ）又は性同一性障害（ＧＩＤ）で、好みが身体上の性を基準とした場合の異性等の場合には、「１２２」又は「２１１」等で簡単に表すことができる。
【００２３】
上述のように本実施形態の通信システム１０は、通信端末１６Ａと、通信端末１６Ａに通信回線１２を介して情報を提供する通信用サーバ１４と、を備え、通信用サーバ１４は、通信端末１６Ａの表示部３４の第１領域４３に個人の身体的な第１特性（身体の性）を表す記号ｆ（第１記号）を表示させ、表示部３４の第２領域４６にその個人のその第１特性に関連する心理的な第２特性（心の性）を表す記号ｇ（第２記号）を表示させ、表示部３４の第３領域４９にその個人のその第２特性に関連する嗜好に関する第３特性（好みの性）を表す記号ｈ（第３記号）を表示させるものである。
【００２４】
本実施形態によれば、第１領域４３〜第３領域４６に表示される３つの記号の組合せによって、個人の性格等の比較的複雑な個人情報を簡単に分かり易く表すことができる。
なお、本実施形態においては、次のような変形が可能である。本実施形態では、身体の性は、男（記号で１）及び女（記号で２）に分かれているが、その他に外科的な手術で男になった場合（記号で３）、及び外科的な手術で女になった場合（記号で４）等を加えてもよい。これによって、例えば生まれたときの性と現在の性とが異なるタイプのトランスジェンダを簡単に表すことができる。
【００２５】
また、本実施形態では、心の性及び好みの性の選択肢が、男「１」（男を数字の１で表すことを意味する。以下同様。）、女「２」、両性「３」、無し「４」、及び不明「５」となっているが、その選択肢を例えば身体の性を基準として、異性「１」、同性「２」、両性「３」、無し「４」、及び「不明」としてもよい。
また、本実施形態では、その第２特性に関連する嗜好に関する第３特性として好みの性が用いられているが、その好みの性の代わりに嗜好上の服装（好みの服装）を用いてもよい。その好みの服装の選択肢は、例えば男装（記号で１）、女装（記号で２）、両方（記号で３）、無し（記号で４）、又は不明（記号で５）である。この場合、例えばいわゆるクロスドレッサーは、３つの記号「１１２」又は「２２１」で表すことができる。
【００２６】
また、本実施形態では、心の性の選択肢として不明（記号で５）が設けられ、好みの性の選択肢として不明（記号で５）が設けられているが、これらの選択肢の少なくとも一方からその不明を除外してもよい。これらの変形例は以下の第２の実施形態にも適用可能である。
［第２の実施形態］
第２の実施形態につき図５を参照して説明する。図５において図２に対応する部分には同一の符号を付してその詳細な説明を省略する。
【００２７】
図５は、本実施形態の印刷物としての調査票５６を示す。調査票５６は、例えば病院の心療内科の問診票、又は所定組織の会員の個人情報の調査票として使用される。図５の調査票５６には、一例として調査対象者の氏名、住所、メールアドレス、及び性格等の欄が設けられている。調査対象者は、筆記用具（不図示）を用いて調査票５６中の氏名、住所、メールアドレスの欄にそれぞれ氏名Ｂｉ、住所Ｃｉ、メールアドレスＤｉを記入する。なお、メールアドレスがない場合には、無しの部分をチェックすればよい。
【００２８】
本実施形態において、調査票５６の性格等の欄は、第１の実施形態の入会申し込みシート５２と同様に、身体の性を表す記号を記載する第１領域４４を有するＦ欄、心の性を表す記号を記載する第２領域４７を有するＧ欄、及び好みの性を表す記号を記載する第３領域５０を有するＨ欄に分かれている。一例として、第１領域４４、第２領域４７、及び第３領域５０は、それぞれ矩形の線状の枠で囲まれた領域であり、順次互いに接している。調査対象者は、一例として、Ｆ欄の第１領域４４には、男を示す数字「１」及び女を示す数字「２」から選択された一つの記号ｆを記入し、Ｇ欄の第２領域４７には、男を示す数字「１」、女を示す数字「２」、両方の性を意味する数字「３」、無しを意味する数字「４」、及び不明を意味する数字「５」から選択された一つの記号ｇを記入し、Ｈ欄の第３領域５０には、男を示す数字「１」、女を示す数字「２」、両方の性を意味する数字「３」、無しを意味する数字「４」、及び不明を意味する数字「５」から選択された一つの記号ｈを記入する。領域４７，５０の上部には、それぞれ「公開」又は「非公開」を選択する領域が設けられ、領域４４，４７，５０の下部に近接して、それぞれＦ欄の２つの選択肢（１：男，２：女）が記載された領域（第４領域）、Ｇ欄の５つの選択肢（１：男〜５：不明）が記載された領域（第５領域）、及びＨ欄の５つの選択肢（１：男〜５：不明）が記載された領域（第６領域）が設けられている。
【００２９】
複数の調査対象者がそれぞれの個人情報（記号ｆｇｈを含む）を記入した調査票５６は
例えば病院の医師又は所定組織の担当者等に提供される。
本実施形態の調査票５６を用いることによって、調査対象者の性格等が３つの領域４４，４７，５０に表示された３つの記号「ｆｇｈ」によって表されるため、年齢や国籍等に比べて複雑な、例えばどのようなＬＧＢＴ（性的少数者）であるかを含む個人の性格等の個人情報を簡単に分かり易く表すことができる。なお、本実施形態の調査票５６は、例えば将来的に国政調査用の調査票の一部として使用することも可能である。
【００３０】
なお、上述の各実施形態においては、身体の性を表す記号ｆ、心の性を表す記号ｇ、及び好みの性を表す記号ｈは、会員リスト５４又は調査票５６に対して横方向に配列されているが、それらの記号は縦方向又は斜め方向に配列されていてもよい。また、記号ｆ，ｇ，ｈが表示（記入）される第１領域４３〜第３領域４９（又は第１領域４４〜第３領域５０）はそれぞれ矩形の線状の枠で囲まれているが、第１領域４３〜第３領域４９等は例えば円周の線又は楕円の輪郭線等で囲まれた領域であってもよい。また、第１領域４３〜第３領域４９等は互いに接しているが、第１領域４３等と第２領域４６等とが隣接している場合には、例えば第１領域４３を囲む枠線と、第２領域４６を囲む枠線とが、第１領域４３等を囲む枠（輪郭）の最大の幅程度の間隔まで離れている場合も含まれる。さらに、第１領域４３〜第３領域４９等は必ずしも枠の線又は輪郭線で囲まれている必要はなく、第１領域４３〜第３領域４９等の間には必ずしも境界線も必要がない。このように第１領域４３等を囲む枠（輪郭）が存在しない場合、例えば記号ｆ，ｇ，ｈにそれぞれ外接する仮想的な正方形又は円周等の内部の領域を第１領域、第２領域、第３領域とみなすこともできる。この際に、例えば第１領域とこれに隣接する第２領域とは仮想的に一部が重なっていてもよい。
【００３１】
また、上述の各実施形態においては、身体の性を表す記号ｆ、心の性を表す記号ｇ、及び好みの性を表す記号ｈは、それぞれ複数のアラビア数字（例えば１〜５）から選択された一つの文字である。しかしながら、それらの記号ｆ，ｇ，ｈとしては、それぞれ複数のアルファベット（例えばＡ〜Ｅ又はａ〜ｅ）、複数のカタカナ（例えばイ〜ホ）、複数のひらがな（例えば、あ〜お）、複数の漢字（例えば一〜五、又は男、女、両、無、不等）、複数のギリシャ文字（例えばα〜ε）、又は複数のローマ数字（例えばＩ〜Ｖ）の中等から選択された一つの文字を使用してもよい。また、記号ｆ，ｇ，ｈとして例えばアルファベットを使用する場合、その選択肢の記号を「男」としてはman の頭文字の［Ｍ］を、「女」としてはfemaleの頭文字の［Ｆ］を、「両方」としてはbisexualの頭文字の「Ｂ」を、「無し」としてはasexualの頭文字の「Ａ」を、「不明」としてはunknownの頭文字の「Ｎ」又はクエステョンマークの「？」等を用いてもよい。また、その選択肢に「異性」及び「同性」を含める場合、それらを表す記号としてstraightの頭文字の「Ｓ」及びhomosexualの頭文字の「Ｈ」等を使用してもよい。すなわち、記号ｆ，ｇ，ｈとしては、各選択肢を表す英語、ドイツ語、又はフランス語等の単語の頭文字等を使用してもよい。
【００３２】
さらに、例えば身体の性を表す記号ｆを複数のアラビア数字から選択された一つの文字として、心の性を表す記号ｇを複数のアルファベットから選択された一つの文字として、好みの性を表す記号ｈを複数のギリシャ文字から選択された一つの文字とするように、記号ｆ，ｇ，ｈの少なくとも一つの記号の種類を他の記号の種類と異ならせてもよい。
さらに、記号ｆ，ｇ，ｈとして、例えば男に対して「ズボンの図形」、女に対して「スカートの図形」、両方に対して「両手の図形」、無しに対して「空のコップの図形」、不明に対して「迷路の図形」又はクエステョンマーク「？」というように、それぞれ一つの図形等を使用してもよい。このため、記号ｆ，ｇ，ｈはマーク(mark)と呼ぶこともできる。
【００３３】
また、上述の各実施形態では、身体的な第１特性として身体の性を、第１特性に関連する心理的な第２特性として心の性を、第２特性に関連する嗜好に関する第３特性として好みの性又は好みの服装を用いている。しかしながら、その第１特性として例えば個人の血液型（選択肢は例えばＡ型、Ｂ型、Ｏ型、及びＡＢ型）を用いて、その第２特性及び第３特性としてその個人の性格（選択肢は例えばクレッチマーの分類による循環気質、分裂気質、粘着型気質に「不明」を加えた４つのタイプ等）を用いてもよい。この場合、その第３特性として、個人が好む趣味（選択肢は例えば野外スポーツ、屋内スポーツ、読書、映画鑑賞、カラオケ、その他、無し、及び不明等）を用いてもよい。
【００３４】
なお、本発明は上述の実施形態に限定されず、本発明の要旨を逸脱しない範囲で種々の構成を取り得る。
【符号の説明】
【００３５】
１０…通信システム、１２…通信回線、１４…通信用サーバ、１６Ａ，１６Ｂ，１６Ｃ…通信端末、１７Ａ，１７Ｂ…表示画面、３４…表示部、３８…プログラム実行部、４０Ｃ…第１手段、４０Ｄ…第２手段、４０Ｅ…第３手段、４３…第１領域、４６…第２領域、４９…第３領域、５４…会員リスト、５６…調査票、４４…第１領域、４７…第２領域、５０…第３領域
【図１】
2020080031.tif 000003
【図２】
2020080031.tif 000004
【図３】
2020080031.tif 000005
【図４】
2020080031.tif 000006
【図５】
2020080031.tif 000007